(57)【要約】  【課題】  ファクシミリ通信においてワンタッチダイヤルキー又は短縮ダイヤルキーに登録してある電話番号が間違っていた場合、使用停止になっている場合等に迅速且つ簡便に修正、削除等を可能とする。  【解決手段】  ワンタッチダイヤルキー、短縮ダイヤルキーににより指定された送信宛先の電話番号が画像データの送信ができない電話番号であった場合又は送信宛先のアドレスが実在しない場合に、ワンタッチダイヤルテーブル２３又は短縮ダイヤルテーブル２４から画像データの送信ができなかった電話番号又は実在しなかったアドレスを読み出して表示部１５の画面上に表示し、操作部１４及びタッチパネル１４Ｔの操作に応じて画面上で変更し、変更後の電話番号又はアドレスの表示に従ってワンタッチダイヤルテーブル２３又は短縮ダイヤルテーブル２４の記憶内容を更新する。【選択図】      図１
2006270269.tif 000002
【特許請求の範囲】
【請求項１】
送信宛先の電話番号及び／又はアドレスを予め記憶した送信宛先記憶手段と、該送信宛先記憶手段が予め記憶している送信宛先を指定する送信宛先指定手段と、該送信宛先指定手段が指定した送信宛先の電話番号又はアドレスを前記送信宛先記憶手段から読み出し、読み出した送信宛先へ画像データを送信する送信手段と、表示手段とを備えた通信装置において、
前記送信宛先指定手段により指定された送信宛先の電話番号が画像データを受信することができない電話番号であることが判明した場合又は前記送信宛先指定手段により指定された送信宛先のアドレスが実在しないことが判明した場合に、前記送信宛先記憶手段から画像データの受信ができない電話番号又は実在しないアドレスを読み出して前記表示手段の画面上に表示させる表示制御手段と、
前記表示手段の画面上に表示された電話番号又はアドレスを画面上で変更する指示を受け付ける受付手段と、
前記表示手段の画面上に表示されている電話番号又はアドレスの表示を前記受付手段が受け付けた指示に従って画面上で変更する表示変更手段と、
該表示変更手段が変更した後の電話番号又はアドレスの表示に従って前記送信宛先記憶手段の記憶内容を更新する送信宛先更新手段と
を備えたことを特徴とする通信装置。
【請求項２】
前記受付手段は、前記表示手段の画面上に表示された電話番号又はアドレスを削除する指示を受け付け、
前記送信宛先更新手段は、前記受付手段が電話番号又はアドレスを削除する指示を受け付けた場合は、受け付けた電話番号又はアドレスを前記送信宛先記憶手段の記憶内容から削除するようにしてあること
を特徴とする請求項１に記載の通信装置。
【請求項３】
送信宛先のアドレスを予め記憶した送信宛先記憶手段と、該送信宛先記憶手段が予め記憶している送信宛先を指定する送信宛先指定手段と、送信手段と、表示手段と、前記送信宛先記憶手段、送信宛先指定手段、送信手段及び表示手段と接続されており、前記送信宛先指定手段が指定した送信宛先のアドレスを前記送信宛先記憶手段から読み出し、読み出した送信宛先へ前記送信手段にメール送信を行なわせるコンピュータに以下の手順を実行させるコンピュータプログラムであって、
前記送信宛先指定手段により指定された送信宛先のアドレスが実在しない旨の返信メールを受信する手順と、
前記返信メールを受信した場合に、前記送信宛先記憶手段から実在しなかったアドレスを読み出して表示手段の画面上に表示させる手順と、
前記表示手段の画面上に表示されたアドレスを画面上で変更する指示を受け付けさせる手順と、
前記表示手段の画面上に表示されているアドレスの表示を受け付けた指示に従って画面上で変更させる手順と、
変更した後のアドレスの表示に従って前記送信宛先記憶手段の記憶内容を更新させる手順と
を含むことを特徴とするコンピュータプログラム。
【発明の詳細な説明】
【技術分野】
【０００１】
本発明は、画像，電子メール等を送信する通信装置に関し、より詳細には送信宛先の電話番号（ファクシミリ番号）、メールアドレスを誤って登録していて送信に失敗した場合に、登録してある電話番号、メールアドレス等を迅速且つ容易に修正可能な通信装置に関する。またそのような通信装置を汎用コンピュータで実現する場合のコンピュータプログラムに関する。
【背景技術】
【０００２】
インターネットファクシミリ通信を含むファクシミリ通信を行なう装置、電子メールを送受信する装置等のような通信装置では、電話番号，メールアドレスを誤って入力した場合には一般的にはその通信は成功しない。そのような場合、電話番号，メールアドレスを直接入力したのであれば再入力すればよいが、予め登録してある電話番号，メールアドレスを指定して送信した場合には登録済みの電話番号，メールアドレスを修正する必要が生じる。
【０００３】
ファクシミリ装置には一般的に、一つのダイヤルキーに一つの送信宛先を登録することが可能ないわゆるワンタッチダイヤルキー等と称されるダイヤルキー、及び電話番号（ファクシミリ番号）をせいぜい２桁又は３桁の番号に短縮して登録することが可能な短縮ダイヤルキー等と称される機能が備えられている。このようなワンタッチダイヤルキー又は短縮ダイヤルキーに予め送信宛先の電話番号を登録しておけば、通常は１０回近くダイヤルキーを操作しなければならない送信宛先の電話番号を迅速且つ簡便に設定することが可能になる。
【０００４】
また、電子メール送信が可能な種々の装置、たとえばパーソナルコンピュータ、携帯電話機、ＰＤＡ等では、いわゆるアドレス帳と称される機能が一般的に用意されている。アドレス帳は、送信宛先の名称等をリスト上で指定すればそのメールアドレスが送信宛先アドレスとして自動的に設定される機能である。このようなアドレス帳を使用すれば、面倒なメールアドレスをその都度入力する手間が省けて迅速且つ簡便にメールアドレスを設定することが可能になる。
【０００５】
ところで、ファクシミリ装置のワンタッチダイヤルキー，短縮ダイヤルキーの登録を間違った場合は、間違って登録した電話番号がたまたまファクシミリ装置の電話番号であった場合にはファクシミリ送信が行なわれるが、間違って登録した電話番号がファクシミリ装置の電話番号でない場合にはその電話番号ではファクシミリ受信ができないのでファクシミリ送信は失敗する。この場合、ファクシミリ通信の所定の手順によって送信側へ送信が失敗したことが通知される。
【０００６】
また、アドレス帳の登録を間違った場合は、間違って登録したメールアドレスがたまたま他者の実在するメールアドレスであった場合には電子メール送信が行なわれるが、間違って登録したメールアドレスが実在しない場合には電子メール送信は失敗する。この場合、エラー通知メールが返送されることによって送信側へ送信が失敗したことが通知される。また、ファクシミリ番号（電話番号）、メールアドレスのいずれであっても、相手が番号又はアドレスを変更する場合があり、また種々の事情で突然使用しなくなる場合もある。
【０００７】
このような事情からたとえば特許文献１には、自身の電話番号を変更した場合に、自身の電話番号をワンタッチダイヤルキーに登録している他のファクシミリ装置に対して電話番号が変更されたことを通知する発明が開示されている。また、特許文献２には、ワンタッチダイヤルキーに登録されたメールアドレスに対してインターネットファクシミリ送信が失敗してエラー通知メールを受信した場合に、該当するメールアドレスが登録されているワンタッチダイヤルキーを使用禁止に設定する発明が開示されている。
【特許文献１】特開平１０−３０８８３２号公報
【特許文献２】特開２００１−２１７９７０号公報
【発明の開示】
【発明が解決しようとする課題】
【０００８】
しかし、上述の両特許文献に開示されている発明では、いずれも正しい電話番号（ファクシミリ番号）又はメールアドレスに修正する必要があり、そのための操作が以外と煩瑣であった。具体的には、たとえば登録済みの電話番号又はメールアドレスを一旦消去して再登録するか、または編集モードに入って修正するという面倒な操作が必要であった。
【０００９】
本発明は以上のような事情に鑑みてなされたものであり、ファクシミリ通信においてワンタッチダイヤルキー又は短縮ダイヤルキーに登録してある電話番号が間違っていた場合、使用停止になっている場合等に迅速且つ簡便に修正、削除等が可能であり、また電子メール通信においてアドレス帳に登録してあるメールアドレスが間違っていた場合、使用停止になっている場合等に迅速且つ簡便に修正、削除等が可能である通信装置の提供を目的とする。
【００１０】
また本発明は、電子メール送信を行なう通信装置、たとえばパーソナルコンピュータ、携帯電話機、ＰＤＡ等において、アドレス帳に登録してあるメールアドレスが間違っていた場合、使用停止になっている場合等に迅速且つ簡便に修正、削除等を可能にするコンピュータプログラムの提供を目的とする。
【課題を解決するための手段】
【００１１】
本発明に係る通信装置は、送信宛先の電話番号及び／又はアドレスを予め記憶した送信宛先記憶手段と、該送信宛先記憶手段が予め記憶している送信宛先を指定する送信宛先指定手段と、該送信宛先指定手段が指定した送信宛先の電話番号又はアドレスを前記送信宛先記憶手段から読み出し、読み出した送信宛先へ画像データを送信する送信手段と、表示手段とを備えた通信装置において、前記送信宛先指定手段により指定された送信宛先の電話番号が画像データを受信することができない電話番号であることが判明した場合又は前記送信宛先指定手段により指定された送信宛先のアドレスが実在しないことが判明した場合に、前記送信宛先記憶手段から画像データの受信ができない電話番号又は実在しないアドレスを読み出して前記表示手段の画面上に表示させる表示制御手段と、前記表示手段の画面上に表示された電話番号又はアドレスを画面上で変更する指示を受け付ける受付手段と、前記表示手段の画面上に表示されている電話番号又はアドレスの表示を前記受付手段が受け付けた指示に従って画面上で変更する表示変更手段と、該表示変更手段が変更した後の電話番号又はアドレスの表示に従って前記送信宛先記憶手段の記憶内容を更新する送信宛先更新手段とを備えたことを特徴とする。
【００１２】
このような本発明に係る通信装置では、送信宛先指定手段により指定された送信宛先の電話番号が画像データの受信ができない電話番号であることが判明した場合又は送信宛先指定手段により指定された送信宛先のアドレスが実在しないことが判明した場合に、送信宛先記憶手段から画像データの送信ができない電話番号又は実在しないアドレスが読み出されて表示手段の画面上に表示され、この画面上に表示された電話番号又はアドレスを画面上で変更する指示が受け付けられると、画面上に表示されている電話番号又はアドレスの表示が受け付けられた指示に従って画面上で変更され、変更後の電話番号又はアドレスの表示に従って送信宛先記憶手段の記憶内容が更新される。
【００１３】
また本発明に係る通信装置は、前記受付手段は、前記表示手段の画面上に表示された電話番号又はアドレスを削除する指示を受け付け、前記送信宛先更新手段は、前記受付手段が電話番号又はアドレスを削除する指示を受け付けた場合は、受け付けた電話番号又はアドレスを前記送信宛先記憶手段の記憶内容から削除するようにしてあることを特徴とする。
【００１４】
このような本発明に係る通信装置では上記の発明において、表示手段の画面上に表示された電話番号又はアドレスを削除する指示を受付手段が受け付けた場合に、受付手段が受け付けた電話番号又はアドレスが送信宛先記憶手段の記憶内容から削除される。
【００１５】
また本発明に係るコンピュータプログラムは、送信宛先のアドレスを予め記憶した送信宛先記憶手段と、該送信宛先記憶手段が予め記憶している送信宛先を指定する送信宛先指定手段と、送信手段と、表示手段と、前記送信宛先記憶手段、送信宛先指定手段、送信手段及び表示手段と接続されており、前記送信宛先指定手段が指定した送信宛先のアドレスを前記送信宛先記憶手段から読み出し、読み出した送信宛先へ前記送信手段にメール送信を行なわせるコンピュータに以下の手順を実行させるコンピュータプログラムであって、前記送信宛先指定手段により指定された送信宛先のアドレスが実在しない旨の返信メールを受信する手順と、前記返信メールを受信した場合に、前記送信宛先記憶手段から実在しなかったアドレスを読み出して表示手段の画面上に表示させる手順と、前記表示手段の画面上に表示されたアドレスを画面上で変更する指示を受け付けさせる手順と、前記表示手段の画面上に表示されているアドレスの表示を受け付けた指示に従って画面上で変更させる手順と、変更した後のアドレスの表示に従って前記送信宛先記憶手段の記憶内容を更新させる手順とを含むことを特徴とする。
【００１６】
このような本発明に係るコンピュータプログラムでは、送信宛先指定手段により指定された送信宛先のアドレスが実在しない旨の返信メールを受信した場合に、実在しないアドレスが送信宛先記憶手段から読み出されて表示手段の画面上に表示され、この画面上に表示されたアドレスを画面上で変更する指示が受け付けられるとその指示に従って画面上でアドレスが変更され、変更後のアドレスの表示に従って送信宛先記憶手段の記憶内容が更新される。
【発明の効果】
【００１７】
上述した本発明に係る通信装置によれば、送信宛先の電話番号が画像データの受信ができない電話番号であることが判明した場合又は送信宛先指定手段により指定された送信宛先のアドレスが実在しないことが判明した場合には、画像データの受信ができない電話番号又は実在しなかいアドレスが表示手段の画面上に表示されて直接この画面上に表示された電話番号又はアドレスを画面上で変更すことが可能になるので、迅速且つ簡便に正しい電話番号及び／又はアドレスに修正することが可能になる。
【００１８】
また本発明に係る通信装置によれば上記の発明において、たとえば使用停止になった電話番号又はアドレスを迅速且つ簡便に削除することが可能になる。
【００１９】
更に本発明に係るコンピュータプログラムによれば、たとえば携帯電話機等の通信装置において、アドレス帳で指定された送信宛先のアドレスが実在しない旨の返信メールを受信した場合には、そのアドレスが表示手段の画面上に表示されて直接この画面上に表示されたアドレスを画面上で変更することが可能になるので、迅速且つ簡便に正しいアドレスに修正することが可能になる。
【発明を実施するための最良の形態】
【００２０】
以下に、本発明に係る通信装置をその実施の形態を示す図面に基づいて詳述する。図１は本発明に係る通信装置としてのインターネットファクシミリ装置１の内部構成例を示すブロック図及びネットワーク構成例を示す模式図であり、図中１は本発明の通信装置としてのインターネットファクシミリ装置を示している。
【００２１】
本発明の通信装置であるインターネットファクシミリ装置１は、通信回線としてのＬＡＮ６によりインターネットＩＮを介して外部のインターネットファクシミリ装置３及びＰＣ４とも接続されている。更に、インターネットファクシミリ装置１は、公衆電話交換網ＰＳＴＮを介して外部のファクシミリ装置５とも接続されている。なお、インターネットＩＮには図示されている他にも多数のインターネットファクシミリ装置及びＰＣが接続されており、公衆電話交換網ＰＳＴＮには図示されている他にも多数のファクシミリ装置が接続されていることは言うまでもない。
【００２２】
従って、インターネットファクシミリ装置１は、インターネットＩＮを介して他のインターネットファクシミリ装置３及びＰＣ４とインターネットファクシミリ通信が可能であり、更に公衆電話交換網ＰＳＴＮを介して他のファクシミリ装置５と通常のファクシミリ通信が可能である。
【００２３】
インターネットファクシミリ装置１は、ＣＰＵ（Central Processing Unit)又はＭＰＵ（Micro Processor Unit）等で構成された制御部１０を備えている。制御部１０は、バス１１を介して、ＲＯＭ１２、ＲＡＭ１３、操作部１４、表示部１５、この表示部１５に併設されていて操作部１４の一部を構成するタッチパネル１４Ｔ、読取部１６、画像メモリ１７、データ変換部１８、記録部１９、ＬＡＮインタフェイス２０、モデム２１、ＮＣＵ（Network Control Unit）２２等と接続されていて、このようなハードウェア各部を制御すると共に、ＲＯＭ１２に予め格納されている制御プログラムに従って、種々のソフトウェア的機能を実現する。また、バス１１には、詳細は後述するが、ワンタッチダイヤルテーブル２３及び短縮ダイヤルテーブル２４も接続されている。
【００２４】
ＲＯＭ９２は、インターネットファクシミリ装置１が本発明に係る通信装置として動作するために必要な種々の制御プログラムを記憶している。また、ＲＡＭ１３は、ＳＲＡＭ又はフラッシュメモリ等で構成されており、制御部１０による制御プログラムの実行時に発生するデータ等を一時的に記憶する。なお、ＲＯＭ１２には、後述する本発明に係るコンピュータプログラムである「送信宛先確認処理」のための送信宛先確認プログラムＰＧが予め記憶されている。
【００２５】
モデム２１は、ファクシミリ通信が可能なファックスモデムで構成されており、ＮＣＵ２２とも直接的に接続されている。ＮＣＵ２２は、公衆電話交換網ＰＳＴＮと接続されており、必要に応じてモデム２１を公衆電話交換網ＰＳＴＮと接続することにより、公衆電話交換網ＰＳＴＮを介して外部のファクシミリ装置５との間でのファクシミリ通信を可能としている。
【００２６】
読取部１６は、ＣＣＤ(Charge Coupled Device) 等を利用したスキャナであり、原稿を読み取ることにより画像データを取得し、取得した画像データを画像メモリ１７に記憶させる。なお、画像メモリ１７は、ＤＲＡＭ等により構成されており、モデム２１及びＮＣＵ２２を介したファクシミリ通信にて受信した画像データ、及び読取部１６が読み取った画像データを記憶する。
【００２７】
なお、インターネットファクシミリ装置１は、読取部１６が読み取った画像データを添付ファイルとして添付した電子メールを送信することが可能に構成されている。具体的には、データ変換部１８は、読取部１６が読み取って画像メモリ１７に記憶してある画像データを必要に応じて電子メールで送信可能な画像ファイル、例えば、ＴＩＦＦ（Tag Image File Format)、ＰＤＦ（Portable Document Format）等のフォーマットのファイルに変換し、変換したファイルを添付ファイルとして添付した電子メールを生成する。このようにして生成された添付ファイルが添付された電子メールは、ＬＡＮインタフェイス２０からインターネットＩＮ経由でインターネットファクシミリ装置３又はＰＣ４へ送信される。
【００２８】
ＬＡＮインタフェイス２０は、インターネットファクシミリ装置１がインターネットＩＮを介して他のインターネットファクシミリ装置３、ＰＣ４と通信を行なうためのインタフェイスである。従って、インターネットファクシミリ装置１は、ＬＡＮインタフェイス２０を介して、インターネットＩＮ経由で他のインターネットファクシミリ装置３、ＰＣ４から上述したような画像データを添付ファイルとした電子メールの受信が可能に構成されている。この場合、データ変換部１８は、上述した変換処理とは逆の変換処理を行なうことにより、受信した電子メールの添付ファイルから画像データを生成し、生成した画像データを画像メモリ１７に記憶させる。
【００２９】
なお、制御部１０は、インターネットＩＮ又はＬＡＮ６に接続されているメールサーバ装置（図示せず）に所定のタイミングでアクセスし、メールサーバ装置に蓄積されているインターネットファクシミリ装置１宛の電子メールを受信する。これによりインターネットファクシミリ装置１は、他の装置からの電子メールを受信することができる。
【００３０】
操作部１４は、インターネットファクシミリ装置１を操作するために必要な文字キー、テンキー、短縮ダイヤルキー、ワンタッチダイヤルキー及び各種のファンクションキー等を備えている。また、表示部１５に併設されているタッチパネル１４Ｔも後述する如く操作部１４の一部として機能する。
【００３１】
表示部１５は、液晶ディスプレイ（ＬＣＤ）等の表示装置であり、インターネットファクシミリ装置１の動作状態、操作部１４から入力された文字、ユーザに通知すべき情報等の表示を行なう。また、表示部１５は、ワンタッチダイヤルキー又は短縮ダイヤルキーに登録されているファクシミリ番号（電話番号）が間違っていたためにファクシミリ通信に失敗した場合、又はワンタッチダイヤルキー又は短縮ダイヤルキーに登録されているメールアドレスが間違っていたためにインターネットファクシミリ通信に失敗した場合に後述する如く、送信宛先確認プログラムＰＧが起動して電話番号又はメールアドレスの修正のための画面である「送信宛先確認画面」を表示する。この「送信宛先確認画面」にはタッチパネル１４Ｔによる操作を受け付けるためのソフトキーも表示される。
【００３２】
記録部１９は、例えば電子写真方式のプリンタ装置であって、画像メモリ１７に記憶してある画像データを、ハードコピーとしてＡ３縦，Ｂ４縦，Ａ４縦，Ｂ５横及びＡ５横等の各サイズの記録紙又はＯＨＰ(Over Head Projector) シート等から最適なサイズのものを選択して記録する。
【００３３】
ワンタッチダイヤルテーブル２３及び短縮ダイヤルテーブル２４はたとえばフラッシュメモリ等の不揮発性の書き換え可能な記憶媒体に設定されている。ワンタッチダイヤルテーブル２３は前述した操作部１４に備えられている複数のワンタッチダイヤルそれぞれに１対１で対応付けられたファクシミリ番号（電話番号）又はメールアドレスが登録されている。また、短縮ダイヤルテーブル２４は前述した操作部１４に備えられている短縮ダイヤルとテンキーの操作によるたとえば２桁の数字に対応付けられたファクシミリ番号（電話番号）又はメールアドレスが登録されている。
【００３４】
図２（ａ）はワンタッチダイヤルテーブル２３の登録内容の一例を示す模式図である。ワンタッチダイヤルテーブル２３には、本実施の形態では操作部１４に設けられてる番号１〜１０までのワンタッチダイヤルキー（図３参照）に対応してそれぞれ電話番号（ファクシミリ番号）又はメールアドレスとそれぞれの登録名（宛先）とが登録されている。そして、たとえば操作部１４に設けられている番号１のワンタッチダイヤルキーが操作されると、ワンタッチダイヤルテーブル２３の「キー番号１」に対応付けて登録されている電話番号又はメールアドレスと登録名（宛先）とが読み出されて表示部１５に表示されると共に送信宛先として設定される。この状態で送信の操作が行なわれると、表示部１５に表示されている電話番号又はメールアドレスに対してファクシミリ送信又はインターネットファクシミリ送信が行なわれる。
【００３５】
図２（ｂ）は短縮ダイヤルテーブル２４の記憶内容の一例を示す模式図である。短縮ダイヤルテーブル２４には、本実施の形態では操作部１４に設けられてるテンキー（図３参照）の内の２個の操作に対応してそれぞれ電話番号（ファクシミリ番号）又はメールアドレスとそれぞれの登録名（宛先）とが登録されている。従って、短縮ダイヤルテーブル２４には「００」から「９９」までの１００件の登録が可能である。そして、たとえば操作部１４に設けられている短縮ダイヤルキーが操作され、これに引き続いてテンキーが２回操作されると、２回操作されたテンキーの２桁の数字に対応付けて短縮ダイヤルテーブル２４に登録されている電話番号又はメールアドレスと登録名（宛先）とが読み出されて表示部１５に表示されると共に送信宛先として設定される。この状態で送信の操作が行なわれると、表示部１５に表示されている電話番号又はメールアドレスに対してファクシミリ送信又はインターネットファクシミリ送信が行なわれる。
【００３６】
ところで、前述したように、ワンタッチダイヤルテーブル２３及び短縮ダイヤルテーブル２４に登録されている電話番号又はメールアドレスが間違っていた場合、又は使用停止状態になっている場合等にはファクシミリ送信又はインターネットファクシミリ送信は失敗する。この場合、従来の通常のファクシミリ送信であれば送信に失敗した旨を報知するメッセージが表示部１５に表示されるのみであり、またインターネットファクシミリ送信であればリターンドメールによって宛先が実在しないことが通知されるのみであった。従って、ユーザはどの宛先、即ちワンタッチダイヤルテーブル２３又は短縮ダイヤルテーブル２４に登録されている宛先の内のいずれに送信できなかったかを確認した上でその宛先に対応するワンタッチダイヤルテーブル２３又は短縮ダイヤルテーブル２４の登録内容を操作手順に従って修正したり、削除する必要があった。しかし、本発明に係る通信装置であるインターネットファクシミリ装置１ではそのような修正のための操作が以下に詳細に説明するように非常に迅速且つ簡便に行なえる。
【００３７】
図３は送信宛先確認プログラムＰＧが起動した場合に表示部１５の画面１５Ｓに「送信宛先確認画面」が表示された状態を操作部１４の構成例と共に示す模式図である。インターネットファクシミリ装置１によりたとえば複数の宛先に対して同報通信を行なった場合にその内のいくつかの宛先に対する送信が失敗したとすると、送信宛先確認プログラムＰＧが起動して表示部１５には図３の模式図に示すように送信に失敗した宛先の一覧を含む「送信宛先確認画面」が表示される。図３に示す例では、Ａ〜Ｅまでの５件の宛先への送信が失敗したことが表示されており、全体として「全確認」のソフトキーが、それぞれの宛先について「修正」、「確認」、「削除」のソフトキーが表示されている。これらのソフトキーは表示部１５に併設されているタッチパネル１４Ｔによって選択して操作することが可能である。
【００３８】
なお、表示部１５の画面１５Ｓに隣接して操作部１４が備えられている。操作部１４には、「１」〜「１０」までの１０個のワンタッチダイヤルキー１４１、短縮ダイヤルキー１４２、テンキー１４３、表示部１５の画面１５Ｓに表示されるカーソルを移動させるための十字キー１４４、送信を開始させるためのスタートキー１４５、大文字／小文字のアルファベットを入力するための文字キー１４６等が備えられている。なお、これらの操作部１４の各種キー等の配置は一例である。
【００３９】
この図３に示す「送信宛先確認画面」上で「全確認」キーが操作されると、この「送信宛先確認画面」は消去される。また、「修正」キーが操作されると、対応する宛先の電話番号（ファクシミリ番号）又はメールアドレスを修正することが可能である。「確認」キーが操作されると、対応する宛先の電話番号（ファクシミリ番号）又はメールアドレスは修正されずに画面から消去される。「削除」キーが操作されると、対応する宛先の電話番号（ファクシミリ番号）又はメールアドレスに関する登録内容の全てが消去、具体的にはワンタッチダイヤルテーブル２３又は短縮ダイヤルテーブル２４から削除される。
【００４０】
以下、制御部１０による「送信宛先確認処理」の処理手順を示す図４、図５のフローチャートを参照して説明する。なお、以下の処理はＲＯＭ１２に予め記憶されている送信宛先確認プログラムＰＧに従って制御部１０により実行される。
【００４１】
まず、同報通信又は単独の通信によりインターネットファクシミリ装置１からファクシミリ送信（通常の公衆電話交換網ＰＳＴＮを介してのファクシミリ送信及びインターネットＩＮを介してのインターネットファクシミリ送信のいずれでもよい）が行なわれ、その際の宛先の指定がワンタッチダイヤルキー又は短縮ダイヤルキーを使用して行なわれたとする。そして、その送信が送信宛先の電話番号がファクシミリ用ではない、使用されていない等のような、また送信宛先のメールアドレスが実在しない等のような、ワンタッチダイヤルテーブル２３又は短縮ダイヤルテーブル２４への電話番号又はメールアドレスの登録間違いが原因であった場合には前述した図３に示した「送信宛先確認画面」が表示部１５に表示される。このような「送信宛先確認画面」そのものを表示部１５に表示させる処理は従来公知の技術で実現可能である。
【００４２】
以下、この「送信宛先確認画面」が表示部１５に表示されている状態からの制御部１０による処理手順について説明する。なお、図３に示されている例では同報通信によりワンタッチダイヤルキー及び短縮ダイヤルキーを使用して複数の送信宛先を設定してファクシミリ送信を行なった場合に、Ａ〜Ｅまでの送信宛先の宛先の登録が間違っていて正しく送信できなかったことを示している。
【００４３】
このような「送信宛先確認画面」が表示されている状態において（ステップＳ１１）、制御部１０はタッチパネル１４Ｔからの信号によって「全確認」、「修正」、「確認」、「削除」のいずれかのソフトキーが操作されたか否かを監視している（ステップＳ１２でＮＯ）。ここで、タッチパネル１４Ｔからの信号によりいずれかのソフトキーが操作され（ステップＳ１２でＹＥＳ）、操作されたソフトキーが「全確認」キーであったとすると（ステップＳ１３でＹＥＳ）、制御部１０は表示部１５の「送信宛先確認画面」の表示を消去し（ステップＳ１４）、この「送信宛先確認処理」を終了する。この場合、ワンタッチダイヤルテーブル２３及び短縮ダイヤルテーブル２４に登録されているいずれの登録内容も変更されない。
【００４４】
いずれかの「修正」キーが操作された場合（ステップＳ１３でＮＯ，Ｓ１５でＹＥＳ）、制御部１０は操作された「修正」キーに対応して表示されている電話番号又はメールアドレスの先頭の数字又は文字にカーソルを表示する（ステップＳ１６）。この状態で制御部１０は次に操作部１４に備えられている十字キー１４４が操作されたか（ステップＳ１７）、又は同じく操作部１４に備えられているテンキー１４７又は文字キー１４６が操作されたか（ステップＳ３１）を監視する。
【００４５】
十字キー１４４が操作された場合（ステップＳ１７でＹＥＳ）、制御部１０は十字キー１４４の操作に応じてカーソルを右又は左へ１文字分づつ移動させる（ステップＳ１８）。但し、カーソルが電話番号又はメールアドレスの先頭又は末尾に位置している場合には末尾側又は先頭側の一方向にのみ移動可能である。一方、テンキー１４３又は文字キー１４６が操作された場合（ステップＳ１７でＮＯ，Ｓ３１でＹＥＳ）、制御部１０はカーソルが位置している位置（カーソル位置）の数字又は文字を操作されたテンキー１４３又は文字キー１４６で指定される数字又は文字に置換する（ステップＳ３２）。
【００４６】
なお、上述したステップＳ１８，Ｓ３２の処理が終了した場合、及び先のステップＳ３１においてテンキー１４３も文字キー１４６も操作されない場合、より具体的には十字キー１４４もテンキー１４３及び文字キー１４６も操作されない場合（ステップＳ１７でＮＯ，Ｓ３１でＮＯ）、いずれの場合にも制御部１０は先に操作された「修正」キーと同一宛先の「確認」キーが操作されたか否かを判断する（ステップＳ１９）。「確認」キーが操作されない場合（ステップＳ１９でＮＯ）、次に制御部１０は「全確認」キーが操作されたか否かを判断し（ステップＳ２０）、「全確認」キーが操作されていない場合（ステップＳ２０でＮＯ）、制御部１０はステップＳ１７へ処理を戻す。
【００４７】
以上のステップＳ１７を起点としてステップＳ１８，Ｓ１９，Ｓ２０、Ｓ３１、Ｓ３２の処理を経てステップＳ１７へ戻るループ処理が反復されることにより、先に操作された「修正」キーに対応して表示部１５に表示されている送信宛先の電話番号又はメールアドレスの修正が行なわれる。
【００４８】
ステップＳ１９において「確認」キーが操作されると（ステップＳ１９でＹＥＳ）、制御部１０は操作された「確認」キーに対応してその時点で表示部１５に表示されている送信宛先の表示状態を登録する（ステップＳ２２）。具体的には、ステップＳ１９において「確認」キーが操作された場合、操作された「確認」キーのワンタッチダイヤル又は短縮ダイヤルの番号対応してその時点で表示部１５に表示されている送信宛先の「宛先（登録名）」及び電話番号又はメールアドレス（修正済みであろうとなかろうと）でワンタッチダイヤルテーブル２３及び短縮ダイヤルテーブル２４の内容が更新される。この後、制御部１０は操作された「確認」キーに対応して表示されている送信宛先を「送信宛先確認画面」から消去し（ステップＳ２３）、ステップＳ１１へ処理を戻す。
【００４９】
上述の場合、ワンタッチダイヤルテーブル２３又は短縮ダイヤルテーブル２４に登録されている送信宛先の内の「修正」キー及び「確認」キーが操作されたワンタッチダイヤル又は短縮ダイヤルの番号の送信宛先の電話番号又はメールアドレスのみが修正される。なお、ステップＳ１１へ処理が戻されることにより、表示部１５に表示されている「送信宛先確認画面」に消去されずに残っている他の送信宛先に対する操作が可能である。
【００５０】
ステップＳ２０において「全確認」キーが操作されていたとすると（ステップＳ２０でＹＥＳ）、制御部１０はその時点で表示部１５に表示されている「送信宛先確認画面」の各送信宛先の状態を登録する（ステップＳ２１）。具体的には、ステップＳ２０において「全確認」キーが操作されていた場合、その時点で表示部１５に表示されている「送信宛先確認画面」の全送信宛先のワンタッチダイヤル又は短縮ダイヤルの番号に対応する「宛先（登録名）」及び電話番号又はメールアドレスでワンタッチダイヤルテーブル２３及び短縮ダイヤルテーブル２４の内容が更新される。この後、制御部１０は「送信宛先確認画面」を表示部１５から消去し（ステップＳ１４）、この「送信宛先確認処理」を終了する。この場合、ワンタッチダイヤルテーブル２３又は短縮ダイヤルテーブル２４に登録されている送信宛先の内の「送信宛先確認画面」上で修正された電話番号又はメールアドレスのみが修正される。
【００５１】
ステップＳ１３で「全確認」キーが操作されず、ステップＳ１５で「修正」キーが操作されずにいずれかの「確認」キーが操作された場合（ステップＳ４１でＹＥＳ）、制御部１０は表示部１５に表示されている「送信宛先確認画面」上の操作された「確認」キーに対応して表示されている送信宛先を「送信宛先確認画面」から消去する（ステップＳ４２）。この場合、操作された「確認」キーのワンタッチダイヤル又は短縮ダイヤルの番号の送信宛先の電話番号又はメールアドレスは修正されない。
【００５２】
この後、制御部１０は送信宛先がまだ「送信宛先確認画面」に表示されているか否かを判断する（ステップＳ４５）。「送信宛先」が「送信宛先確認画面」に表示されていない場合（ステップＳ４５でＮＯ）、制御部１０はこの「送信宛先確認処理」を終了するが、「送信宛先」が「送信宛先確認画面」に表示されている場合（ステップＳ４５でＹＥＳ）、制御部１０はステップＳ１１へ処理を戻す。なお、ステップＳ１１へ処理が戻されることにより、表示部１５に表示されている「送信宛先確認画面」に消去されずに残っている他の送信宛先に対する操作が可能である。
【００５３】
更に、ステップＳ１３で「全確認」キーが操作されず、ステップＳ１５で「修正」キーが操作されず、ステップＳ４１で「確認」キーが操作されずにいずれかの「削除」キーが操作された場合（ステップＳ４３でＹＥＳ）、制御部１０は操作された「削除」キーに対応して表示されている送信宛先を「送信宛先確認画面」から消去すると共に、操作された「削除」キーのワンタッチダイヤ又は短縮ダイヤルの番号の登録内容をワンタッチダイヤルテーブル２３又は短縮ダイヤルテーブル２４から削除する（ステップＳ４４）。この後、制御部１０は送信宛先がまだ「送信宛先確認画面」に表示されているか否かを判断する（ステップＳ４５）。「送信宛先」が「送信宛先確認画面」に表示されていない場合（ステップＳ４５でＮＯ）、制御部１０はこの「送信宛先確認処理」を終了するが、「送信宛先」が「送信宛先確認画面」に表示されている場合（ステップＳ４５でＹＥＳ）、制御部１０はステップＳ１１へ処理を戻す。なお、ステップＳ１１へ処理が戻されることにより、表示部１５に表示されている「送信宛先確認画面」に消去されずに残っている他の送信宛先に対する操作が可能である。
【００５４】
なお、上述した図３及び図４、図５に基づく実施の形態においては、同報通信した結果、複数の送信宛先への送信に失敗した場合について説明した。しかし、ワンタッチダイヤルキー又は短縮ダイヤルキーにより単一の送信宛先を設定して送信した結果、送信に失敗した場合には「送信宛先確認画面」にその一つの送信宛先が表示されるので、基本的には上述した図４、図５のフローチャートと同様の処理手順を適用できることはいうまでもない。
【００５５】
また、上述した実施の形態においては公衆電話交換網ＰＳＴＮを介しての通常のファクシミリ送信とインターネットを介してのインターネットファクシミリ送信との双方に対応しているが、いずれか一方のみに対応する構成も勿論可能である。
【００５６】
更に、ファクシミリ装置ではなく、通常の電子メールの送受信（少なくとも送信）を行なう通信装置、たとえばパーソナルコンピュータ，携帯電話機、ＰＤＡ等にも本発明を適用することが可能である。この場合には、電子メールの送達不能を通知するリターンドメールを受信した場合に、本発明に係るコンピュータプログラムである送信宛先確認プログラムＰＧがアドレス帳から該当するメールアドレスを読み出して表示装置に表示し、この表示状態に対して、上述した図４、図５のフローチャートと同様に修正、削除等の操作が可能な構成とすればよい。
【図面の簡単な説明】
【００５７】
【図１】本発明に係る通信装置としてのインターネットファクシミリ装置の内部構成例を示すブロック図及びネットワーク構成例を示す模式図である。
【図２】本発明に係る通信装置としてのインターネットファクシミリ装置のワンタッチダイヤルテーブルの登録内容及び短縮ダイヤルテーブルの記憶内容の一例を示す模式図である。
【図３】本発明に係る通信装置としてのインターネットファクシミリ装置において本発明に係るコンピュータプログラムである送信宛先確認プログラムが起動した場合に表示部の画面に「送信宛先確認画面」が表示された状態を操作部の構成例と共に示す模式図である。
【図４】本発明に係るコンピュータプログラムである送信宛先確認プログラムの処理手順を示すフローチャートである。
【図５】本発明に係るコンピュータプログラムである送信宛先確認プログラムの処理手順を示すフローチャートである。
【符号の説明】
【００５８】
１  インターネットファクシミリ装置
１０  制御部
１２  ＲＯＭ
１４  操作部
１４Ｔ  タッチパネル
１５  表示部
２０  ＬＡＮインタフェイス
２１  モデム
２２  ＮＣＵ
２３  ワンタッチダイヤルテーブル
２４  短縮ダイヤルテーブル
１４１  ワンタッチダイヤルキー
１４２  短縮ダイヤルキー
１４３  テンキー
１４４  十字キー
１４６  文字キー
ＰＧ  送信宛先確認プログラム
ＩＮ  インターネット
【図１】
2006270269.tif 000003
【図２】
2006270269.tif 000004
【図３】
2006270269.tif 000005
【図４】
2006270269.tif 000006
【図５】
2006270269.tif 000007